(57)【要約】【課題】ラッチボルトを反転する等の一切の作業をしないで、左右勝手いずれのドアにも対応できること。【解決手段】ラッチボルト３は、厚さ方向の中央には略矩形の垂直板７を設けてその両側面に当接面９・９をそれぞれ設け、当接面９・９の上下方向中央には上方から見て略四分の一円状の水平板８・８を設けてその外側に傾斜する摺接面１０・１０をそれぞれ設け、厚さ方向及び上下方向共に対称に構成してある。ストライク２は、略矩形の板状体で、ラッチボルト３の進入側の一側辺を裏面側に曲げてガイド縁１５とし、略々中央には受孔１２を設けてある。受孔１２は、矩形状でラッチボルト３の進入側の縁には、上下方向中央にラッチボルト３の水平板８が収容される収容部１４を受孔１２に連続して設け、収容部１４の上下にラッチボルト３の垂直板７の当接面９・９が当接する当受部１３・１３を設けて構成されている。【選択図】図１
2005344451.tif 000002
【特許請求の範囲】
【請求項１】
ラッチボルトを有するラッチ本体と、受孔を設けたストライクとを有し、ラッチボルトがストライクの受孔に係合するラッチ錠において、ラッチボルトは、厚さ方向略中央に垂直板を設けてその両側面に当接面を設けると共に、両当接面の上下方向略中央に水平板を設けてそれらの外側に傾斜する摺接面を設けて、厚さ方向及び上下方向共に略対称に構成され、ストライクの受孔には、ラッチボルトの進入側縁の上下方向略中央にラッチボルトの水平板が収容される収容部を受孔に連続して設けると共に、収容部の上下にラッチボルトの垂直板の当接面が当接する当受部を設けたことを特徴とするラッチ錠。
【発明の詳細な説明】
【技術分野】
【０００１】
本発明は、左右勝手いずれのドアにも対応することができるラッチ錠に関するものである。
【背景技術】
【０００２】
ドアには左勝手と右勝手の違いがあり、従前より、この左右勝手を変更するには、ラッチ本体のフロントプレートを外してラッチボルトを反転し、再度フロントプレートを取り付けるという作業を行なっていた。しかし、この作業は時間がかかるので、時間短縮のため特願２０００−４０７７８号（特開２００１−２８８９３８号）発明の錠前が提案されている。
この錠前は、ラッチボルトを補助ばねによって連結部材に取り付けて成り、ドライバーでこじることによって補助ばねに抗して突出させ回転可能となるラッチボルトを反転して、左右勝手の変更を行なうことができるものである。
【特許文献１】特開２００１−２８８９３８号公報
【発明の開示】
【発明が解決しようとする課題】
【０００３】
上記従来例においては、従前よりは確かに作業時間が短縮されたが、特に数多くのドアの左右勝手を変更する場合には、更なる作業時間の短縮あるいは作業なしで対応することができるラッチ錠が求められており、本発明は、この要求を満足するラッチ錠を提供することを課題としている。
【課題を解決するための手段】
【０００４】
本発明は、上記の課題を解決するために、ラッチボルトを有するラッチ本体と、受孔を設けたストライクとを有し、ラッチボルトがストライクの受孔に係合するラッチ錠において、ラッチボルトは、厚さ方向略中央に垂直板を設けてその両側面に当接面を設けると共に、両当接面の上下方向略中央に水平板を設けてそれらの外側に傾斜する摺接面を設けて、厚さ方向及び上下方向共に略対称に構成され、ストライクの受孔には、ラッチボルトの進入側縁の上下方向略中央にラッチボルトの水平板が収容される収容部を受孔に連続して設けると共に、収容部の上下にラッチボルトの垂直板の当接面が当接する当受部を設けて成るものである。
【発明の効果】
【０００５】
以上のように本発明によれば、ラッチボルトを厚さ方向に対称に構成して両側に傾斜面を設けたので、このラッチボルトを反転する等の一切の作業をしないで、左右勝手いずれのドアにも対応することができるという効果がある。
【０００６】
また、ラッチボルトを上下方向に対称に構成したので、ラッチボルトがストライクの受孔に係合している時に、閉じているドアに開放方向に力がかかった場合に、上下に偏らずにバランスよくラッチボルトに力がかかり、強度上有利であるという効果もある。
【実施例】
【０００７】
本実施例のラッチ錠は、ラッチ本体１、ストライク２及びストライクボックス１１から構成されているが、ストライクボックス１１は必ずしも必要ではない。
【０００８】
ラッチ本体１は、ラッチケース４の先端部にフェースプレート５を設け、さらにその前面に別体のフロントプレート６を重ねて設けてあり、そのフェースプレート５及びフロントプレート６の孔からラッチボルト３が出没可能に設けられている。ラッチケース４の内部のラッチボルト３を出没させる機構は公知のものを適用することができるのでここでは図示しない。
【０００９】
ラッチボルト３は、厚さ方向の中央には略矩形の垂直板７を設けてその両側面に当接面９・９をそれぞれ設け、さらに当接面９・９の上下方向中央には上方から見て略四分の一円状の水平板８・８をそれぞれ設けてそれらの外側に傾斜する摺接面１０・１０をそれぞれ設けて成り、厚さ方向及び上下方向共に対称に構成してある。この摺接面１０・１０は本実施例のように曲面でもいいし、平面でもいい。
【００１０】
ストライク２は、略矩形の板状体で、ラッチボルト３の進入側の一側辺を裏面側に曲げてガイド縁１５とし、略々中央には受孔１２を設けてある。受孔１２は、矩形状でラッチボルト３の進入側の縁には、上下方向中央にラッチボルト３の水平板８が収容される収容部１４を受孔１２に連続して設け、収容部１４の上下にラッチボルト３の垂直板７の当接面９・９が当接する当受部１３・１３を設けて構成されている。
【００１１】
次に動きを説明する。
ドアＤが閉鎖方向に移動すると、ラッチボルト３の一方の摺接面１０がストライク２のガイド縁１５に接近して（図２）当接し、さらに移動するとラッチボルト３が、傾斜する摺接面１０をストライク２に押されることによって引っ込み（図３）、さらに移動するとドアＤが戸当りＴに当って停止し、ラッチボルト３の垂直板７がストライク２の受孔１２の当受部１３・１３を通り過ぎているので、ラッチケース４内部のばね（図示せず）の力でラッチボルト３がストライク２の受孔１２内に突出し係合する（図４）。
【００１２】
ラッチボルト３が受孔１２に係合しているこの状態では、ラッチボルト３の一方の水平板８がストライク２の収容部１４に入り込むと共に、垂直板７が受孔１２に入り込んで、一方側の上下の当接面９・９がストライク２の当受部１３・１３に当接して、ドアは開放方向に押されても開くことがない状態となっている。
【００１３】
そして、上記と左右勝手が逆のドアの場合、ラッチ本体１のラッチボルト３を反転する等の操作を一切することなくそのまま使用することができる。この場合、上記と反対の摺接面１０がストライク２のガイド縁１５に当接することになり、その後、上記段落１１と同様に、図５〜図７に示すような動きとなる。
【図面の簡単な説明】
【００１４】
【図１】本発明の全体斜視図である。
【図２】本発明の動きを説明するための図面で、ラッチボルトがストライクに当接する寸前の状態をあらわしている。［Ａ］はラッチボルトを断面にしてストライクの正面から見た図、［Ｂ］はストライク側だけを横断面にした図である。
【図３】本発明の動きを説明するための図面で、ラッチボルトが押し込まれて引っ込んだ状態をあらわしている。［Ａ］はラッチボルトを断面にしてストライクの正面から見た図、［Ｂ］はストライク側だけを横断面にした図である。
【図４】本発明の動きを説明するための図面で、ラッチボルトがストライクの受孔内に突出している状態をあらわしている。［Ａ］はラッチボルトを断面にしてストライクの正面から見た図、［Ｂ］はストライク側だけを横断面にした図である。
【図５】図２とドアの勝手が逆の場合の同様の図面である。
【図６】図３とドアの勝手が逆の場合の同様の図面である。
【図７】図４とドアの勝手が逆の場合の同様の図面である。
【符号の説明】
【００１５】
１    ラッチ本体
２    ストライク
３    ラッチボルト
７    垂直板
８    水平板
９    当接面
１０    摺接面
１２    受孔
１３    当受部
１４    収容部
【図１】
2005344451.tif 000003
【図２】
2005344451.tif 000004
【図３】
2005344451.tif 000005
【図４】
2005344451.tif 000006
【図５】
2005344451.tif 000007
【図６】
2005344451.tif 000008
【図７】
2005344451.tif 000009